(57)【要約】【課題】操作量検出装置に異常が生じた場合のメンテナンスの容易性を向上させることができる荷役車両を提供する。【解決手段】荷役車両１は、前後方向に走行可能な車両本体と、車両本体の走行時の加速量を指示するために操作されるアクセルペダル１４と、アクセルペダル１４の操作量を検出するアクセルセンサ３１と、アクセルペダル１４の操作量に応じて車両本体を走行させる走行制御装置３２と、加速量を指示する以外の目的のために操作されるディレクショナルレバー１５とを備える。走行制御装置３２は、アクセルセンサ３１に異常が生じているとき、アクセルペダル１４の操作量に応じた車両本体の走行を禁止し、ディレクショナルレバー１５の操作に基づいて車両本体を走行させる。【選択図】図２
2019151479.tif 000002
【特許請求の範囲】
【請求項１】
前後方向に走行可能な車両本体と、
前記車両本体の走行時の加速量を指示するために操作されるアクセル操作装置と、
前記アクセル操作装置の操作量を検出する操作量検出装置と、
前記操作量に応じて前記車両本体を走行させる走行制御装置と、
前記加速量を指示する以外の目的のために操作される他の操作装置と、を備え、
前記走行制御装置は、前記操作量検出装置に異常が生じているとき、前記操作量に応じた前記車両本体の走行を禁止し、前記他の操作装置の操作に基づいて前記車両本体を走行させる
ことを特徴とする荷役車両。
【請求項２】
前記走行制御装置が、前記操作量に応じて前記車両本体を走行させる通常モードと、前記他の操作装置の操作に基づいて前記車両本体を走行させる非常モードとに切り替え可能に構成され、
前記通常モードと前記非常モードとを切り替えるために操作されるモード切替操作装置をさらに備え、
前記走行制御装置は、前記操作量検出装置に異常が生じ、前記通常モードから前記非常モードに切り替えられたとき、前記操作量に応じた前記車両本体の走行を禁止し、前記他の操作装置の操作に基づいて前記車両本体を走行させる
ことを特徴とする請求項１に記載の荷役車両。
【請求項３】
前記他の操作装置は、前記車両本体を前進させるための前進指示状態と、前記車両本体を後進させるための後進指示状態と、前記車両本体を走行させないための中立状態とに切り替え可能に構成されたレバーにより構成されている
ことを特徴とする請求項２に記載の荷役車両。
【請求項４】
前記走行制御装置は、前記非常モードにおいて、前記レバーが前記前進指示状態であるとき前記車両本体を前進させ、前記レバーが前記後進指示状態であるとき前記車両本体を後進させ、
前記通常モードから前記非常モードへ切り替える操作が行われた時点で前記レバーが前記前進指示状態または前記後進指示状態であるとき、前記走行制御装置は、前記レバーが前記前進指示状態または前記後進指示状態から前記中立状態に移行するまでの間、前記車両本体の走行を停止させる
ことを特徴とする請求項３に記載の荷役車両。
【請求項５】
前記走行制御装置は、前記非常モードにおいて、前記通常モードであるときに比べて前記車両本体の走行速度を制限する
ことを特徴とする請求項２〜４のいずれか一項に記載の荷役車両。
【発明の詳細な説明】
【技術分野】
【０００１】
本発明は、アクセル操作装置を備えた荷役車両に関するものである。
【背景技術】
【０００２】
一般的に、フォークリフト等の荷役車両は、前後方向に走行可能な車両本体と、車両本体の走行時の加速量を指示するために操作されるアクセル操作装置と、アクセル操作装置の操作量を検出する操作量検出装置と、操作量に応じて車両本体を走行させる走行制御装置とを備えている。アクセル操作装置は、例えば、オペレータが足で踏み込むアクセルペダルにより構成され、走行制御装置は、アクセルペダルの操作量（すなわち踏込量）に応じて加速するように車両本体を走行させる。
【先行技術文献】
【特許文献】
【０００３】
【特許文献１】特開平１１−２０９０９８号公報
【発明の概要】
【発明が解決しようとする課題】
【０００４】
ところで、操作量検出装置が故障した場合、すなわち操作量検出装置に異常が生じたことで操作量が検出できなくなった場合は、車両本体が暴走しないように、走行制御装置はアクセル操作装置の操作量に関係なく車両本体の走行を禁止することが一般的である。
【０００５】
しかしながら、荷役車両の使用中に操作量検出装置が故障した場合、そのメンテナンス（修理）を行う者は、走行を停止している荷役車両の場所に赴く必要があり、メンテナンスを行うのに手間が掛かっていた。
【０００６】
本発明は、上記事情に鑑みてなされたものであって、操作量検出装置に異常が生じた場合のメンテナンスの容易性を向上させることができる荷役車両を提供することを課題とする。
【課題を解決するための手段】
【０００７】
上記課題を解決するため、請求項１に記載の本発明の荷役車両は、前後方向に走行可能な車両本体と、前記車両本体の走行時の加速量を指示するために操作されるアクセル操作装置と、前記アクセル操作装置の操作量を検出する操作量検出装置と、前記操作量に応じて前記車両本体を走行させる走行制御装置と、前記加速量を指示する以外の目的のために操作される他の操作装置と、を備え、前記走行制御装置は、前記操作量検出装置に異常が生じているとき、前記操作量に応じた前記車両本体の走行を禁止し、前記他の操作装置の操作に基づいて前記車両本体を走行させることを特徴とする。
【０００８】
また、請求項２に記載の荷役車両は、請求項１に記載の荷役車両において、前記走行制御装置が、前記操作量に応じて前記車両本体を走行させる通常モードと、前記他の操作装置の操作に基づいて前記車両本体を走行させる非常モードとに切り替え可能に構成され、前記通常モードと前記非常モードとを切り替えるために操作されるモード切替操作装置をさらに備え、前記走行制御装置は、前記操作量検出装置に異常が生じ、前記通常モードから前記非常モードに切り替えられたとき、前記操作量に応じた前記車両本体の走行を禁止し、前記他の操作装置の操作に基づいて前記車両本体を走行させることを特徴とする。
【０００９】
また、請求項３に記載の荷役車両は、請求項２に記載の荷役車両において、前記他の操作装置は、前記車両本体を前進させるための前進指示状態と、前記車両本体を後進させるための後進指示状態と、前記車両本体を走行させないための中立状態とに切り替え可能に構成されたレバーにより構成されていることを特徴とする。
【００１０】
また、請求項４に記載の荷役車両は、請求項３に記載の荷役車両において、前記走行制御装置は、前記非常モードにおいて、前記レバーが前記前進指示状態であるとき前記車両本体を前進させ、前記レバーが前記後進指示状態であるとき前記車両本体を後進させ、前記通常モードから前記非常モードに切り替える操作が行われた時点で前記レバーが前記前進指示状態または前記後進指示状態であるとき、前記走行制御装置は、前記レバーが前記前進指示状態または前記後進指示状態から前記中立状態に移行するまでの間、前記車両本体の走行を停止させることを特徴とする。
【００１１】
また、請求項５に記載の荷役車両は、請求項２〜４のいずれか一項に記載の荷役車両において、前記走行制御装置は、前記非常モードにおいて、前記通常モードであるときに比べて前記車両本体の走行速度を制限することを特徴とする。
【発明の効果】
【００１２】
本発明によれば、操作量検出装置に異常が生じた場合のメンテナンスの容易性を向上させることができる荷役車両を提供することができる。
【図面の簡単な説明】
【００１３】
【図１】本発明の一実施形態に係る荷役車両の概略構成を示す側面図である。
【図２】同実施形態に係る荷役車両の概略構成を示すブロック図である。
【図３】通常モードにおいて走行を開始する際の流れを示すフローチャートである。
【図４】非常モードにおいて走行を開始する際の流れを示すフローチャートである。
【図５】通常モードから非常モードに切り替える際の流れを示すフローチャートである。
【発明を実施するための形態】
【００１４】
図面を参照して、本発明の一実施形態について説明する。
図１に示すように、荷役車両１は、前後方向に走行可能な車両本体１０と、車両本体１０の前方に設けられた荷役装置２０とを備えている。荷役車両１は、バッテリ式のカウンターバランスフォークリフトである。すなわち、荷役車両１は、電動モータの駆動によって走行および荷役に必要なエネルギーを得る。
【００１５】
荷役車両１は、車両本体１０に設けられる要素として、荷役車両１を運転するオペレータが着席する運転席１１と、ステアリングハンドル１２と、ブレーキペダル１３と、アクセルペダル１４と、ディレクショナルレバー１５と、タッチパネルディスプレイ１６とを備えている。
【００１６】
ステアリングハンドル１２は、車両本体１０の進行方向を調整するためにオペレータにより操作される操舵装置を構成している。
ブレーキペダル１３は、車両本体１０の走行時の減速量を指示するためにオペレータにより操作されるブレーキ操作装置を構成している。
アクセルペダル１４は、車両本体１０の走行時の加速量を指示するためにオペレータにより操作されるアクセル操作装置を構成している。
【００１７】
ディレクショナルレバー１５（以下、「Ｄレバー１５」という）は、車両本体１０の進行方向を切り替えるためにオペレータにより操作される前後進切替操作装置を構成している。Ｄレバー１５は、当該Ｄレバー１５の傾き角が変化するように操作されることによって、車両本体１０を前進させるための前進指示状態と、車両本体１０を後進させるための後進指示状態と、車両本体１０を走行させないための中立状態とに切り替え可能に構成されている。Ｄレバー１５は、前進指示状態および後進指示状態の一方から他方に移行する際、中立状態に一旦移行するように構成されている。
【００１８】
タッチパネルディスプレイ１６は、入力装置および出力装置を兼ねており、オペレータおよび荷役車両１をメンテナンスする者に種々の情報を表示する表示装置を構成するとともに、後述する通常モードと非常モードとを切り替えるために操作されるモード切替操作装置を構成している。通常モードから非常モードへの切り替えは、後述するアクセルセンサ３１に異常が生じているときのみ可能とすることが好ましい。
【００１９】
また、荷役車両１は、荷役装置２０を構成する要素として、荷役用のフォーク２１と、フォーク２１を昇降させるリフト装置２２と、リフト装置２２およびフォーク２１を後傾させるチルト装置２３とを備えている。
【００２０】
また、図２に示すように、荷役車両１は、車両本体１０に設けられる要素として、アクセルセンサ３１と、車両本体１０の走行を制御する走行制御装置３２とを備えている。
【００２１】
アクセルセンサ３１は、アクセルペダル１４の操作量（踏込量）を検出する操作量検出装置を構成している。アクセルセンサ３１が故障しているか否か、すなわちアクセルセンサ３１が踏込量を検出できるか否かは、アクセルセンサ３１の出力電圧に基づいて判定することが可能である。具体的には、アクセルセンサ３１が故障していないとき、すなわちアクセルセンサ３１が正常に動作しているとき、アクセルセンサ３１は所定範囲内の電圧を出力するため、アクセルセンサ３１の出力電圧が所定範囲に収まらない場合は、アクセルセンサ３１が故障している、すなわち、アクセルセンサ３１に異常が生じていると判定することができる。
【００２２】
走行制御装置３２は、アクセルセンサ３１からの出力電圧（操作量の検出結果）に基づき、アクセルペダル１４の操作量（踏込量）に応じて車両本体１０を走行させる。走行制御装置３２は、踏込量が大きいほど早く加速するように車両本体１０を走行させる。また、走行制御装置３２は、アクセルセンサ３１に異常が生じているとき、アクセルペダル１４の操作量に応じた車両本体１０の走行を禁止し、Ｄレバー１５の操作に基づいて車両本体１０を走行させる。すなわち、走行制御装置３２は、アクセルペダル１４の操作量に応じて車両本体１０を走行させる通常モードと、Ｄレバー１５の操作に基づいて車両本体１０を走行させる非常モードとに切り替え可能に構成されており、通常モードであるときは、踏込量に応じて車両本体１０を走行させ、アクセルセンサ３１に異常が生じ、通常モードから非常モードに切り替えられたとき、踏込量に応じた車両本体１０の走行を禁止し、Ｄレバー１５の操作に基づいて車両本体１０を走行させる。
【００２３】
また、走行制御装置３２は、非常モードにおいて、通常モードであるときに比べて車両本体１０の走行速度を制限する。具体的には、例えば、走行制御装置３２は、通常モードでは走行速度が時速１５ｋｍを超えないように車両本体１０の走行を制御し、非常モードでは走行速度が時速５ｋｍを超えないように車両本体１０の走行を制御する。
【００２４】
図３を参照して、通常モードにおいて荷役車両１が走行を開始する際の動作の流れの一例を説明する。
まず、走行制御装置３２は、Ｄレバー１５の状態を検出し（ステップＳ１）、次いで、アクセルセンサ３１が、アクセルペダル１４の操作量（踏込量）を検出する（ステップＳ２）。そして、走行制御装置３２は、ステップＳ１で検出したＤレバー１５の状態が、前進指示状態であるか否かを判断する（ステップＳ３）。
【００２５】
走行制御装置３２は、Ｄレバー１５の状態が前進指示状態であるとステップＳ３で判断した場合、ステップＳ２で検出した踏込量に応じて車両本体１０を前進させる（ステップＳ４）。一方、走行制御装置３２は、Ｄレバー１５の状態が前進指示状態でないとステップＳ３で判断した場合、ステップＳ１で検出したＤレバー１５の状態が、後進指示状態であるか否かを判断する（ステップＳ５）。
【００２６】
走行制御装置３２は、Ｄレバー１５の状態が後進指示状態であるとステップＳ５で判断した場合、ステップＳ２で検出した踏込量に応じて車両本体１０を後進させる（ステップＳ６）。一方、走行制御装置３２は、Ｄレバー１５の状態が後進指示状態でないとステップＳ５で判断した場合、Ｄレバー１５の状態が中立状態であると判断し、車両本体１０を走行させない。
【００２７】
以上のように、通常モードの走行制御装置３２は、アクセルペダル１４が操作されると、Ｄレバー１５によって指定された方向に車両本体１０を走行させ、アクセルペダル１４の操作量に応じて車両本体１０を加速させる。
【００２８】
図４を参照して、非常モードにおいて荷役車両１が走行を開始する際の動作の流れの一例を説明する。
まず、走行制御装置３２は、Ｄレバー１５の状態を検出する（ステップＳ１１）。そして、走行制御装置３２は、ステップＳ１１で検出したＤレバー１５の状態が、前進指示状態であるか否かを判断する（ステップＳ１２）。
【００２９】
走行制御装置３２は、Ｄレバー１５の状態が前進指示状態であるとステップＳ１２で判断した場合、車両本体１０を前進させる（ステップＳ１３）。なお、このとき、走行制御装置３２は、通常モードでアクセルペダル１４の踏込量が最大であるときと同様に車両本体１０を加速させる。一方、走行制御装置３２は、Ｄレバー１５の状態が前進指示状態でないとステップＳ１２で判断した場合、ステップＳ１１で検出したＤレバー１５の状態が、後進指示状態であるか否かを判断する（ステップＳ１４）。
【００３０】
走行制御装置３２は、Ｄレバー１５の状態が後進指示状態であるとステップＳ１４で判断した場合、車両本体１０を後進させる（ステップＳ１５）。なお、このとき、走行制御装置３２は、通常モードでアクセルペダル１４の踏込量が最大であるときと同様に車両本体１０を加速させる。一方、走行制御装置３２は、Ｄレバー１５の状態が後進指示状態でないとステップＳ１４で判断した場合、Ｄレバー１５の状態が中立状態であると判断し、車両本体１０を走行させない。
【００３１】
以上のように、非常モードの走行制御装置３２は、アクセルペダル１４の操作に関係なく、Ｄレバー１５が中立状態から前進指示状態または後進指示状態に移行するように操作されたことに基づいて車両本体１０を走行させる。
【００３２】
図５を参照して、通常モードから非常モードに切り替える際の流れを説明する。
まず、走行制御装置３２が、アクセルセンサ３１の出力電圧に基づいて、アクセルセンサ３１に生じている異常を検知し（ステップＳ２１）、アクセルペダル１４の操作に基づく車両本体１０の走行を禁止する（ステップＳ２２）。
【００３３】
次いで、走行制御装置３２は、タッチパネルディスプレイ１６を用いて、通常モードから非常モードへ切り替えるためのモード切替操作が行われたか否かを判断する（ステップＳ２３）。走行制御装置３２は、モード切替操作が行われなかったとステップＳ２３で判断した場合、車両本体１０の走行を禁止することを維持する。
【００３４】
一方、走行制御装置３２は、モード切替操作が行われたとステップＳ２３で判断した場合、Ｄレバー１５が中立状態であるか否かを判断する（ステップＳ２４）。走行制御装置３２は、Ｄレバー１５が前進指示状態または後進指示状態であるとステップＳ２４で判断した場合、当該ステップＳ２４の判断を繰り返す。すなわち、ステップＳ２４の判断は、Ｄレバー１５が中立状態に移行するまで繰り返される。一方、走行制御装置３２は、Ｄレバー１５が中立状態であるとステップＳ２４で判断した場合、通常モードから非常モードに移行する（ステップＳ２５）。
【００３５】
以上のようにして、アクセルセンサ３１の異常が検知され、タッチパネルディスプレイ１６を用いて通常モードから非常モードへのモード切替操作が行われると、走行制御装置３２は、通常モードから非常モードに移行する。また、走行制御装置３２は、通常モードから非常モードへのモード切替操作が行われた時点でＤレバー１５が前進指示状態または後進指示状態であるとき、Ｄレバー１５が前進指示状態または後進指示状態から中立状態に移行するまでの間、車両本体１０の走行を停止させる。
【００３６】
本実施形態では以下の効果が得られる。
（１）アクセルセンサ３１に異常が生じているとき、アクセルペダル１４の操作量に応じた車両本体１０の走行が禁止されることで、車両本体１０が暴走を防止することができる。また、アクセルセンサ３１に異常が生じているとき、Ｄレバー１５の操作に基づいて車両本体１０が走行することで、アクセルセンサ３１のメンテナンス（修理）を行うのに利便性の良い場所まで、荷役車両１を移動させることができる。したがって、アクセルセンサ３１に異常が生じた場合のメンテナンスの容易性を向上させることができる。また、アクセルセンサ３１が故障した荷役車両１を任意の位置に退避させることができる。
【００３７】
（２）タッチパネルディスプレイ１６を用いて通常モードから非常モードに切り替えられたとき、Ｄレバー１５の操作に基づく車両本体１０の走行が可能となるため、モード切替操作を知得した限られた者だけに、アクセルセンサ３１の故障時に車両本体１０を走行させることを許可することができる。
【００３８】
（３）非常モードにおいて車両本体１０を走行させるための操作装置は、Ｄレバー１５であるため、非常モードにおいて車両本体１０を走行させる者は、直感的に車両本体１０を前後方向に走行させることができる。
【００３９】
（４）通常モードから非常モードへのモード切替操作が行われた時点でＤレバー１５が前進指示状態または後進指示状態であるとき、Ｄレバー１５が前進指示状態または後進指示状態から中立状態に移行するまでの間、走行制御装置３２が、車両本体１０の走行を停止させることで、モード切替操作の完了と同時に車両本体１０が走行を開始することを防止することができる。
【００４０】
（５）走行制御装置３２は、非常モードにおいて、通常モードであるときに比べて車両本体１０の走行速度を制限するため、非常モードであるときは車両本体１０を低速で安全に走行させることができる。
【００４１】
（６）走行制御装置３２は、非常モードにおいて、通常モードでアクセルペダル１４の踏込量が最大であるときと同様に車両本体１０を加速させるため、車両本体１０が走行するためのトルクを確実に確保することができる。
【００４２】
本発明は、上記実施形態に限定されるものではなく、上記構成を適宜変更することもできる。例えば、上記実施形態を、以下のように変更して実施してもよく、以下の変更を適宜組み合わせてもよい。
【００４３】
・非常モードにおいて車両本体１０を走行させるための操作装置は、Ｄレバー１５に限定されず、加速量を指示する以外の目的のために操作される操作装置であればよく、例えば、Ｄレバー１５に代えて、２つの押しボタンスイッチ、または、１つのロッカースイッチもしくはトグルスイッチを用いてもよい。具体的には、例えば、走行制御装置３２は、非常モードにおいて、前照灯をオン／オフする押しボタンスイッチ（不図示）の操作に基づいて、車両本体１０を前進させ、尾灯（不図示）をオン／オフする押しボタンスイッチの操作に基づいて、車両本体１０を後進させてもよい。
【００４４】
・アクセルセンサ３１の異常が検知されたとき、通常モードから非常モードへ自動的に切り替わってもよい。すなわち、タッチパネルディスプレイ１６を用いたモード切替操作を行うことなく、走行制御装置３２が通常モードから非常モードに切り替わってもよい。また、タッチパネルディスプレイ１６以外の操作装置により、モード切替操作装置を構成してもよい。
【００４５】
・アクセルセンサ３１に異常が検知されていないときにも、通常モードから非常モードへの切り替えを可能にしてもよい。すなわち、本発明は、走行制御装置３２が、アクセルセンサ３１に異常が生じていないときに、アクセルペダル１４以外の他の操作装置に基づいて車両本体１０を走行させることを否定するものではない。
【００４６】
・リーチフォークリフトやエンジン式のフォークリフトに本発明を適用してもよい。また、フォークリフト以外の荷役車両（例えばピックアップリフト）に本発明を適用してもよい。すなわち、アクセル操作装置は、アクセルペダル１４に限られず、例えばアクセルレバーにより構成されていてもよい。
【符号の説明】
【００４７】
１  荷役車両
１０  車両本体
１４  アクセルペダル（アクセル操作装置）
１５  ディレクショナルレバー（他の操作装置）
１６  タッチパネルディスプレイ（モード切替操作装置）
３１  アクセルセンサ（操作量検出装置）
３２  走行制御装置
【図１】
2019151479.tif 000003
【図２】
2019151479.tif 000004
【図３】
2019151479.tif 000005
【図４】
2019151479.tif 000006
【図５】
2019151479.tif 000007
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
前後方向に走行可能な車両本体と、
前記車両本体の走行時の加速量を指示するために操作されるアクセル操作装置と、
前記アクセル操作装置の操作量を検出する操作量検出装置と、
前記操作量に応じて前記車両本体を走行させる走行制御装置と、
前記加速量を指示する以外の目的のために操作される他の操作装置と、
モード切替操作装置と、を備え、
前記走行制御装置が、前記操作量に応じて前記車両本体を走行させる通常モードと、前記他の操作装置の操作に基づいて前記車両本体を走行させる非常モードとに切り替え可能に構成され、前記モード切替装置は、前記通常モードと前記非常モードとを切り替えるために操作され、
前記走行制御装置は、前記操作量検出装置に異常が生じ、前記通常モードから前記非常モードに切り替えられたとき、前記操作量に応じた前記車両本体の走行を禁止し、前記他の操作装置の操作に基づいて前記車両本体を走行させ、
前記他の操作装置は、前記車両本体を前進させるための前進指示状態と、前記車両本体を後進させるための後進指示状態と、前記車両本体を走行させないための中立状態とに切り替え可能に構成されたレバーにより構成され、
前記走行制御装置は、前記非常モードにおいて、前記レバーが前記前進指示状態であるとき前記車両本体を前進させ、前記レバーが前記後進指示状態であるとき前記車両本体を後進させ、
前記通常モードから前記非常モードへ切り替える操作が行われた時点で前記レバーが前記前進指示状態または前記後進指示状態であるとき、前記走行制御装置は、前記レバーが前記前進指示状態または前記後進指示状態から前記中立状態に移行するまでの間、前記車両本体の走行を停止させる
ことを特徴とする荷役車両。
【請求項２】
前記走行制御装置は、前記非常モードにおいて、前記通常モードであるときに比べて前記車両本体の走行速度を制限する
ことを特徴とする請求項１に記載の荷役車両。
【手続補正２】
【補正対象書類名】明細書
【補正対象項目名】０００７
【補正方法】変更
【補正の内容】
【０００７】
上記課題を解決するため、請求項１に記載の本発明の荷役車両は、前後方向に走行可能な車両本体と、前記車両本体の走行時の加速量を指示するために操作されるアクセル操作装置と、前記アクセル操作装置の操作量を検出する操作量検出装置と、前記操作量に応じて前記車両本体を走行させる走行制御装置と、前記加速量を指示する以外の目的のために操作される他の操作装置と、モード切替操作装置と、を備え、前記走行制御装置が、前記操作量に応じて前記車両本体を走行させる通常モードと、前記他の操作装置の操作に基づいて前記車両本体を走行させる非常モードとに切り替え可能に構成され、前記モード切替装置は、前記通常モードと前記非常モードとを切り替えるために操作され、前記走行制御装置は、前記操作量検出装置に異常が生じ、前記通常モードから前記非常モードに切り替えられたとき、前記操作量に応じた前記車両本体の走行を禁止し、前記他の操作装置の操作に基づいて前記車両本体を走行させ、前記他の操作装置は、前記車両本体を前進させるための前進指示状態と、前記車両本体を後進させるための後進指示状態と、前記車両本体を走行させないための中立状態とに切り替え可能に構成されたレバーにより構成され、前記走行制御装置は、前記非常モードにおいて、前記レバーが前記前進指示状態であるとき前記車両本体を前進させ、前記レバーが前記後進指示状態であるとき前記車両本体を後進させ、前記通常モードから前記非常モードへ切り替える操作が行われた時点で前記レバーが前記前進指示状態または前記後進指示状態であるとき、前記走行制御装置は、前記レバーが前記前進指示状態または前記後進指示状態から前記中立状態に移行するまでの間、前記車両本体の走行を停止させることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また、請求項２に記載の荷役車両は、請求項１に記載の荷役車両において、前記走行制御装置は、前記非常モードにおいて、前記通常モードであるときに比べて前記車両本体の走行速度を制限することを特徴とする。